(57)【特許請求の範囲】
【請求項１】
ケース本体（１０）と、ケース本体（１０）の上面開口をスライド開閉する蓋体（１１）と、ケース本体（１０）に収容されるインデックスカード（Ｃ）とを有し、ケース前面にディスクカートリッジ（１）用の出入口（１２）が開口しているブックケース型の収納ケースであって、
ケース本体（１０）は、底壁（１４）と、左右一対の側壁（１５・１５）とを有してケース上面の開口が第２開口（１７）になっており、
蓋体（１１）は、第２開口（１７）の全体を上面側から閉止する主面壁（１８）と、主面壁（１８）の左右両側の下面側に前記側壁（１５）と平行に突設した左右一対の蓋側壁（１９）とを有し、
ケース本体（１０）と蓋体（１１）とは、左右の前記側壁（１５）と左右の前記蓋側壁（１９）とにおいて、軸（２１）と、軸（２１）を受け入れ支持するガイド溝（２２）とで構成されるスライド機構を介して連結されており、
蓋体（１１）は、前記主面壁（１８）がケース本体（１０）の左右の側壁（１５）間に嵌まり込んで第２開口（１７）を閉止する閉じ位置と、蓋体（１１）の全体が出入口（１２）から後ろ向きにスライド移動した第１開放位置と、第１開放位置において軸（２１）を中心にして上開き揺動し、第２開口（１７）を開放する第２開放位置とに変位でき、
蓋体（１１）が閉じ位置にあるとき、蓋体（１１）がケース後方に不用意にスライド移動するのを規制するとともに、蓋体（１１）が第２開口（１７）から浮き上がる向きに動くのを阻止するために、蓋体（１１）の蓋側壁（１９）とケース本体（１０）の側壁（１５）との対向面間にそれぞれスライドロックが設けられており、
ケース本体（１０）の底壁（１４）には、ディスクカートリッジ（１）の側方移動を規制する左右一対の規制リブ（３５）が、前記出入口（１２）の近傍に蓋体（１１）の左右の蓋側壁（１９）と上下対向状に突設されており、
前記規制リブ（３５）に対応して蓋体（１１）の蓋側壁（１９）の下部に、規制リブ（３５）の上端面と対向する切欠段部（３６）が切り欠き形成されており、
切欠段部（３６）の内奥端の段壁（３７）と、規制リブ（３５）の内奥端との間に、ストッパー片（４０）を受け入れる隙間（Ｅ）が設けられており、
ケース本体（１０）の底壁（１４）に沿うインデックスカード（Ｃ）の紙面（３８）の左右側縁に、それぞれストッパー片（４０）が突設されており、
前記隙間（Ｅ）に臨む規制リブ（３５）の内奥端が、ストッパー片（４０）を受け止める掛止部（４２）となっているディスクカートリッジ用の収納ケース。
【請求項２】
ストッパー片（４０）が、インデックスカード（Ｃ）の左右の側縁と直交する接当辺（４１）を含む直角三角形状に形成されており、
前記接当辺（４１）が掛止部（４２）で受け止められる請求項１記載のディスクカートリッジ用の収納ケース。  
【発明の詳細な説明】
【０００１】
【発明の属する技術分野】
本発明は、光ディスク等のディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケースの左右側壁の内奥寄りには一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。
【０００３】
収納ケースの内部には、ＭＤと共にインデックスカードを収めるが、出入口の開口幅が５〜６mm前後と小さいため、ＭＤを収納ケースから抜き出すとき、インデックスカードを同時に抜き出してしまうことがある。ＭＤを収納ケースから抜き出した状態において、枚葉シート状のインデックスカードが出入口から滑り落ちることもある。
【０００４】
上記のような不具合を解消するために、本出願人は出入口の両側縁に、インデックスカードを受け止めるためのストッパーを突設した収納ケースを先に提案した（特願平８−２９５６４６号）。さらに、出入口の開口縁に沿って抜け止め用の低いリブを突設し、このリブでインデックスカードの抜け出しを防ぐようにした収納ケースも提案している（特願平９−８６０２４号）。
【０００５】
【発明が解決しようとする課題】
上記の抜け止め用のリブの突出寸法は、インデックスカードの厚み寸法と同じか、これより僅かに大きいだけに過ぎず、そのため、ＭＤを抜き出し操作する際に、インデックスカードの端縁が先のリブを乗り越えて、ＭＤと共に抜き出されることがある。抜け止め用のリブの突出寸法を大きくすると、インデックスカードの乗り越えをよく防止できるが、その分だけ収納ケースの厚み寸法が大きくなることを避けられない。本出願人はＭＤの出し入れを容易化するために、ケース本体とこれの上面をスライド開閉できる蓋体とで構成した収納ケースを提案しているが、このように片手でＭＤの取り出しを行える収納ケースにおいて、インデックスカードがリブを乗り越えてＭＤと共にケース外へ押し出されやすいのを確認している。
【０００６】
本発明の目的は、インデックスカードがディスクカートリッジの取り出し時に不用意に抜き出し操作されたり、あるいはインデックスカードがケース外へ滑り出るのを確実に防止できる収納ケースを提供することにある。
【０００７】
【課題を解決するための手段】
本発明は、ケース本体１０と、ケース本体１０の上面開口をスライド開閉する蓋体１１と、ケース本体１０に収容されるインデックスカードＣとを有し、ケース前面にディスクカートリッジ１用の出入口１２が開口しているブックケース型の収納ケースを対象とする。ケース本体１０の底壁１４と、蓋体１１の主面壁１８とに、ディスクカートリッジ１の側方移動を規制する左右一対の規制リブ３５と左右一対の蓋側壁１９とがそれぞれ上下対向状に突設してある。インデックスカードＣの両側縁の少なくとも一方にストッパー片４０を突設し、規制リブ３５にストッパー片４０を受け止める掛止部４２を設けたものである。
【０００８】
具体的には、蓋側壁１９の下部に、規制リブ３５の上端面と対向する切欠段部３６を設ける。切欠段部３６の段壁３７と、規制リブ３５の内奥端との間にストッパー片４０を受け入れる隙間Ｅを設け、この隙間Ｅに臨む規制リブ３５の内奥端に掛止部４２を設ける。ストッパー片４０は、インデックスカードＣの側縁と直交する接当辺４１を含む直角三角形状に形成し、接当辺４１を掛止部４２で受け止める。
【０００９】
【作用】
ディスクカートリッジ１の側方移動を規制する規制リブ３５に掛止部４２を設けると、掛止部４２の上下方向の寸法を十分に確保できるので、インデックスカードＣに押し出し方向の外力が作用している場合であっても、ストッパー片４０が掛止部４２を乗り越えるのを確実に防止できる。ディスクカートリッジ１の出し入れ領域の外に位置する規制リブ３５を利用して掛止部４２を設け、この掛止部４２でインデックスカードＣの側端縁に突設したストッパー片４０を受け止める形態を採るので、収納ケースの全厚寸法が増加することもない。
【００１０】
蓋側壁１９の切欠段部３６の段壁３７と規制リブ３５との間に隙間Ｅを確保し、この隙間Ｅに臨む規制リブ３５の内奥端に掛止部４２を形成してあるので、インデックスカードＣのケース本体１０に対する出し入れを簡便に行える。インデックスカードＣは、蓋体１１を後退スライドし、さらに揺動開放した状態でケース本体１０に出し入れするが、蓋体１１を開放操作すると、先の段壁３７も蓋体１１に同行して開放移動され、ストッパー片４０の周辺空間の殆どを開放できるからである。例えば、図８に示すように規制リブ３５の前後中途部に溝４３を形成して、その出入口１２側の端壁を掛止部４２とする場合には、蓋体１１を揺動開放した状態でも、ストッパー片４０の上方空間を開放できるに過ぎない。
【００１１】
【実施例】
図面は本発明の実施例を示しており、これはＭＤ（ディスクカートリッジ）用の収納ケースに供するものである。図３においてＭＤ１は、光磁気ディスク２が薄角箱状のカートリッジケース３に収まっており、カートリッジケース３の上下両面の一側に開口した信号読み書き用の窓４をシャッター５でスライド開閉できる。カートリッジケース３の下ハーフ側の左右両側の後部には、位置決め用の凹部６が半長円状にそれぞれ凹設されている。シャッター５はカートリッジケース３の上下面に凹み形成したスライド凹部８の範囲内を開閉スライドできる。
【００１２】
図２において収納ケースは、ケース本体１０と蓋体１１とで収納室を区画した薄形角箱状のケースからなり、ケース前面にＭＤ１を出し入れするための出入口１２が設けてある。収納室の内部には、ＭＤ１と共にインデックスカードＣが収容される。
【００１３】
ケース本体１０は、底壁１４と、左右一対の側壁１５・１５と、底壁１４の後縁に立設した後壁１６とを一体に形成した、上面および前面が開口するプラスチック成形品からなり、ケース前面の開口が出入口１２となっており、ケース上面の開口が第２開口１７になっている。蓋体１１は、第２開口１７の全体を上面側から閉止する主面壁１８と、主面壁１８の左右両側の下面側に側壁１５と平行に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の対向間隔は、ＭＤ１の左右幅寸法より僅かに大きい。
【００１４】
ケース本体１０と蓋体１１とはスライド機構を介して連結されていて、先の第２開口１７を蓋体１１でスライド開閉できる。図６において、蓋体１１の左右蓋側壁１９の中途部の下端外面には、軸２１をそれぞれ外向きに突設する。ケース本体１０の左右側壁１５の後端下部にはガイド溝２２を設け、このガイド溝２２で軸２１を受け入れ支持してスライド機構を構成する。ガイド溝２２は、側壁１５の内面に突設したリブで区画する。ガイド溝２２の長さは、後述するロック体３０の装着位置との関係で規定しており、蓋体１１を後述する第１開放位置までスライド開放したとき、ロック体３０がケース後方へ十分に突出できる長さに設定されている。
【００１５】
蓋体１１は、主面壁１８がケース本体１０の左右側壁１５間に面一状に嵌まり込んで、第２開口１７を完全に閉止する図６（ａ）の閉じ位置と、図６（ｂ）の実線で示すように全体がガイド溝２２に沿って出入口１２から後ろ向きにスライド移動した第１開放位置と、図６（ｂ）の想像線で示すように全体が軸２１を中心にして上開き揺動し、第２開口１７の全体を開放する第２開放位置とに変位できる。蓋体１１の後方スライドを許すために、図２に示すごとくケース本体１０の後壁１６の左右両端には、それぞれ開口２５を設けてある。更に蓋体１１を揺動開閉するとき、蓋側壁１９がケース本体１０の底壁１４と接当干渉するのを防ぐために、蓋側壁１９の軸２１より後ろ側の壁面に逆Ｖ字形の切欠２６を設けてある（図６（ｂ）参照）。
【００１６】
閉じ位置において、蓋体１１が不用意にケース後方にスライド移動するのを規制するために、蓋側壁１９とケース本体１０の左右側壁１５との対向面間にそれぞれスライドロックを設ける。図４においてスライドロックは、蓋側壁１９の外側面の前端上部に突設した側面から見てＬ字状の係合片２７と、係合片２７に対応して両側壁１５の内側面の前端上部寄りに突設した平面視が台形状のロック壁２８とからなる。閉じ位置においては、係合片２７の垂直壁部がロック壁２８の前方の係合案内面と接当係合して、蓋体１１が後方にスライドするのを接当規制する。更に、係合片２７の水平壁部はロック壁２８の下面側に位置して、蓋体１１が第２開口１７から浮き上がる向きに動こうとするのを阻止する。係合片２７とロック壁２８との係合力に抗して蓋体１１をスライド操作すると、主に側壁１５が弾性変形して、両者２７・２８の係合状態を解除できる。
【００１７】
収納ケースの取り扱い時にＭＤ１がケース外へ滑落するのを防ぐために、蓋体１１の左右の蓋側壁１９にそれぞれロック体３０を設ける。図５においてロック体３０は、前後一対の係合爪３１を有するコ字枠状の基部３２と、基部３２の下部に連続する部分円弧状の弾性腕３３とを一体に形成したプラスチック成形品からなり、係合爪３１を蓋側壁１９に設けた装着穴に圧嵌係合して装着する。この装着状態において、弾性腕３３は蓋側壁１９に設けた切欠を介してケース内方に突出する。図５に示すようにＭＤ１を収納ケースに装填した状態では、弾性腕３３がカートリッジケース３の左右の凹部６に外側方から落ち込み係合して、ＭＤ１の抜け出しを防ぐ。
【００１８】
先に述べた通り、左右の蓋側壁１９の対向間隔はＭＤ１の左右幅寸法より大きく、ケース本体１０の側壁１５の対向間隔は、蓋側壁１９のそれよりさらに大きい。そのため、蓋体１１を第１開放位置から上開き揺動操作すると、ケース本体１０に残ったＭＤ１は左右方向へ大きく遊動できる余地を生じる。この余地をなくすために、蓋側壁１９と同じ対向間隔に設定された一対の規制リブ３５をケース本体１０の底壁１４に突設する。具体的には、図１に示すようにガイド溝２２を区画するリブの近傍から出入口１２の近傍にわたって、側壁１５と平行に規制リブ３５を突設する。規制リブ３５の突出寸法は1.５〜３mm前後とする。
【００１９】
ケース本体１０に規制リブ３５を設けるのに対応して、蓋側壁１９の過半前部寄りの下部に、規制リブ３５の上端面と対向する切欠段部３６を切り欠く。切欠段部３６は蓋側壁１９の前端から軸２１の近傍にわたって切り欠いてあって、その内奥端の段壁３７が規制リブ３５の内奥端と、隙間Ｅを介して前後に対向するよう形成してある。この隙間Ｅを利用してインデックスカードＣの抜け出しを阻止する。
【００２０】
図２においてインデックスカードＣは、ケース本体１０の底壁１４に沿う第１紙面３８と、第１紙面３８の後縁に折り起こされた第２紙面３９とを有し、第１紙面３８の左右側縁のそれぞれにストッパー片４０を突設してなる。ストッパー片４０は、先の隙間Ｅの位置に対応して設けられており、図１に示すように第１紙面３８の側縁と直交する接当辺４１を含む直角三角形状に形成されている。隙間Ｅに臨む規制リブ３５の内奥端面を掛止部４２として、これで接当辺４１を受け止めることにより、インデックスカードＣの抜け出しを阻止できる。第１紙面３８の前縁は、出入口１２の左右中央に設けた切欠に対応して台形状に切り欠いてある。
【００２１】
上記のように構成した収納ケースは、図７に示すように親指と他の四指とで収納ケースの上下面を挟持し、蓋体１１を親指でケース後方へ押し出し、ロック体３０と凹部６との係合を解除した後、ＭＤ１を親指で手前側へ引き寄せて収納ケースから取り出すことができる。このとき、ＭＤ１はケース本体１０の底壁１４に押し付け気味にスライド操作されるので、ＭＤ１と底壁１４との間に位置するインデックスカードＣにも、同方向の力が作用する。しかし、ストッパー片４０は規制リブ３５の掛止部４０で受け止められているので、インデックスカードＣは装填位置を維持し、出入口１２の側へ押し出されることはない。
【００２２】
インデックスカードＣのケース本体１０に対する出し入れは、蓋体１１を第２開放位置へ開放した状態で行う。この状態では、蓋側壁１９がケース本体１０に対してほぼ垂直に起立するので、ストッパー片４０の内奥側と上方とを全て開放でき、従ってインデックスカードＣの出し入れを簡便に行える。とくに、ストッパー片４０の接当辺４１を掛止部４２に掛け止めるだけで、インデックスカードＣをケース本体１０に装填できる。
【００２３】
ストッパー片４０の形状は、図８に示すように接当辺４１を含む四角形状とし、あるいは四分円状等に変更することができる。掛止部４２は、規制リブ３５の前後中途部に形成することができる。例えば、図８に示すように規制リブ３５の中途部に底壁１４に達する溝４３を形成し、その出入口１２側の端壁を掛止部４２とすることができる。ストッパー片４０および掛止部４２は、左右いずれか一側方にのみ設けてあってもよい。蓋体１１は閉じ位置から９０度起立した位置まで開放できるに越したことはないが、第２開放位置において主面壁１８が傾斜する状態であってもよい。
【００２４】
【発明の効果】
本発明ではケース本体１０の底壁１４に突設した規制リブ３５を利用して掛止部４２を形成し、インデックスカードＣの少なくとも一側縁に突設したストッパー片４０を先の掛止部４２で受け止めるようにしたので、ディスクカートリッジ１を抜き出し操作するときに、インデックスカードＣがディスクカートリッジ１との摩擦力によって、同時に抜き出されるのを確実に防止できるうえ、ディスクカートリッジ１を抜き出した後の空状態の収納ケースから、インデックスカードＣがケース外へ滑り出ることも確実に防止できる。ディスクカートリッジ１の出し入れ領域の外に掛止部４２が設けられているので、収納ケースの厚み寸法を増加する必要もなく、掛止部４２の上下寸法を必要十分なだけ確保して、ストッパー片４０の乗り越えを確実に防止できる点でも有利である。
【図面の簡単な説明】
【図１】インデックスカードの抜け出し防止構造を示す横断平面図である。
【図２】蓋体の開放途中状態での斜視図である。
【図３】収納ケースの内部構造を示す一部破断平面図である。
【図４】図３におけるＡ−Ａ線断面図である。
【図５】図３におけるＢ−Ｂ線断面図である。
【図６】蓋体の動作を説明する縦断側面図である。
【図７】収納ケースの使用状態を示す斜視図である。
【図８】掛止部の別実施例を示す斜視図である。
【符号の説明】
１  ディスクカートリッジ（ＭＤ）
１０  ケース本体
１１  蓋体
１２  出入口
１４  底壁
１８  主面壁
１９  蓋側壁
３５  規制リブ
４０  ストッパー片
４２  掛止部
Ｃ  インデックスカード
【図１】
0003755782.tif 000002
【図２】
0003755782.tif 000003
【図３】
0003755782.tif 000004
【図４】
0003755782.tif 000005
【図５】
0003755782.tif 000006
【図６】
0003755782.tif 000007
【図７】
0003755782.tif 000008
【図８】
0003755782.tif 000009